(57)【要約】【課題】  金銭による料金収受を行うとともに、磁気カード、ＩＣカード等を利用して料金精算を行うことができる料金収受装置を提供する。【解決手段】  磁気カードを磁気カード挿入口１５へ挿入すると、磁気カード処理装置１５ａ内で磁気情報を読み取り、データ処理部１５ｂへデータが送信され、料金を差し引いたデータを作成し、データ処理部１５ｂから磁気カード処理装置１５ａ内へ磁気データを返信し磁気情報として書き込む。その後、磁気カードを磁気カード排出口へ排出する。あるいは、非接触ＩＣカードを非接触ＩＣカード用アンテナ１７にかざすことによって、データの読み書きを行う。データはデータ処理部１７ａにて行われる。磁気カードまたは非接触ＩＣカードを利用した結果は、液晶モニタ１８に表示されるとともに、表示ランプ２２によっても表される。【選択図】          図３
2007140870.tif 000002
【特許請求の範囲】
【請求項１】
紙幣及び硬貨を投入する金銭投入口とつり銭払い出し口を備えた金銭収受手段と、
前記金銭収受手段によって金銭収受が行われた結果を表示する金銭収受結果表示手段と、
磁気カードによって精算処理を行う磁気カード精算手段と、
非接触ＩＣカードによって精算処理を行う非接触ＩＣカード精算手段と、
前記磁気カード精算手段あるいは非接触ＩＣカード精算手段によって精算処理が行われた結果を表示する表示手段と、を具備する料金収受装置。
【発明の詳細な説明】
【技術分野】
【０００１】
本発明は、各種施設の入場口等に設けられる自動改札機等のように、利用者が移動しながら金銭の投入やつり銭等の受け取りを行う必要のある料金収受装置に関する。
【背景技術】
【０００２】
従来、例えば鉄道駅等の自動改札装置として特許文献１に示される構成の料金収受装置（硬貨払出し装置）が知られている。この料金収受装置は、従来の自動改札機とは異なり、乗車用等の切符を予め購入することなく、その場で現金を支払うことによって料金の精算を行うものであって、当該装置本体の入り口側端部に硬貨、あるいは紙幣等の金銭を入場等の料金として投入する金銭投入口を配置するとともに、装置本体の出口側の上面の適所につり銭を払い出す受け皿を設けたものがある。
【０００３】
【特許文献１】特開平９−６２８９１号
【発明の開示】
【発明が解決しようとする課題】
【０００４】
前記従来の料金収受装置においては、金銭のみによる料金収受のみしか行われず、プリペイドカード等の磁気カードシステムによる支払いも望まれていた。また、現在普及しつつある非接触型ＩＣカードによる支払いも望まれていた。このようにすることで、料金収受における時間を短縮して、利用者の混雑を解消することが期待されていた。
【０００５】
そこで、本発明は、上記課題を解決するためになされたものであって、その目的は、金銭による料金収受を行うとともに、磁気カード、ＩＣカード等を利用して料金精算を行うことができる料金収受装置を提供することにある。
【課題を解決するための手段】
【０００６】
前記目的を達成するために、本発明のうちで請求項１に記載した料金収受装置は、
紙幣及び硬貨を投入する金銭投入口とつり銭払い出し口を備えた金銭収受手段と、
前記金銭収受手段によって金銭収受が行われた結果を表示する金銭収受結果表示手段と、
磁気カードによって精算処理を行う磁気カード精算手段と、
非接触ＩＣカードによって精算処理を行う非接触ＩＣカード精算手段と、
前記磁気カード精算手段あるいは非接触ＩＣカード精算手段によって精算処理が行われた結果を表示する表示手段と、を具備する。
【発明の効果】
【０００７】
本発明のうち、請求項１の料金収受装置によれば、
現金による精算の他に、磁気カードや非接触ＩＣカードによって料金精算を行うことが可能となる。ひいては、料金収受における時間を短縮することで、多くの利用者の混雑を解消することが可能となる。
【発明を実施するための最良の形態】
【０００８】
（第１の実施形態）
図１、２は本発明における第１の実施形態の料金収受装置１０の外観（斜視図）を表した図である。図３は料金収受装置１０の構成要素を示すブロック図である。図４は料金収受装置１０の正面図、図５は背面図、図６は右側面図、図７は左側面図、図８は平面図、図９は底面図である。
【０００９】
最初に本実施形態の料金収受装置１０の外観に表れる各部について図１，２を用いて説明する。料金収受装置１０本体の上面（平面側）には、右側から進行方向Ａに沿って、紙幣挿入口１１、硬貨投入口１２，こども料金切替釦２１、現金表示部１３，つり銭払い出し口１４が配置されている。また、左側には、磁気カード挿入口１５，磁気カード排出口１６，非接触ＩＣカード用アンテナ１７，液晶モニタ１８が配置されている。
【００１０】
料金収受装置１０本体の正面側の右下には、金庫取出扉１９が備えられ内部には金庫が内蔵されている。料金収受装置１０本体の背面側やや右よりには種銭補充用扉２０が設けられている。また、背面側上方に取り付けられたアーチ型のアーム２３には、表示ランプ２２が設けられている。料金収受装置１０本体の右側面上方には、異種硬貨返却口２４が設けられている。
【００１１】
次にこの料金収受装置１０の動作について、図１〜図３を用いて説明する。現金を利用する利用者が硬貨を使う場合には、硬貨投入口１２へ硬貨を投入し、異種硬貨判定装置１２ａによって正常な硬貨であると判定された場合には、計数装置１２ｂによって計数されたデータが、中央処理装置２５内の計数部１２ｃに送信される。同様に紙幣を使う場合には、紙幣挿入口１１へ紙幣を挿入し、紙幣判定装置１１ａによって正常な紙幣であると判定された場合には、計数装置１１ｂによって計数されたデータが、中央処理装置２５内の計数部１２ｃに送信される。つり銭が必要な場合には、該データがつり銭払い出し装置１４ａへ送信され、つり銭払い出し口１４へつり銭が払い出される。なお、異種硬貨が投入された場合には、異種硬貨返却口２４へ返却される。また、正常ではない紙幣が挿入された場合には、紙幣挿入口１１より返却される。
【００１２】
磁気カードを利用する利用者の場合には、磁気カードを磁気カード挿入口１５へ挿入すると、磁気カード処理装置１５ａ内で磁気情報を読み取り、データ処理部１５ｂへデータを送信する。その後、料金を差し引いたデータを作成し、データ処理部１５ｂから磁気カード処理装置１５ａ内へ磁気データを返信し、該データを磁気情報として書き込む。その後、磁気カードを磁気カード排出口へ排出する。
【００１３】
非接触ＩＣカードを利用する利用者の場合には、非接触ＩＣカードを非接触ＩＣカード用アンテナ１７にかざすことによって、データの読み書きを行う。データはデータ処理部１７ａにて行われる。
【００１４】
磁気カードまたは非接触ＩＣカードを利用した結果は、液晶モニタ１８に表示されるとともに、表示ランプ２２によっても表される。例えば、正常に処理された場合には、緑色の表示ランプ２２ａが点灯し、異常な場合には、赤ランプ２２ｂが点灯する。
【００１５】
なお、利用者が子供の場合には、こども料金切替釦２１を押すことにより、子供料金として処理される。
【００１６】
なお、本実施形態においては、特許請求の範囲に記載された発明の構成要件の各部分は、以下の構成部分に相当する。
（ａ）紙幣及び硬貨を投入する金銭投入口とつり銭払い出し口を備えた金銭収受手段とは、紙幣挿入口１１，硬貨投入口１２，異種硬貨判定部１２ａ、紙幣判定部１１ａ、計数装置１１ｂ、１２ｂ、計数部１２ｃ、つり銭払い出し装置１４ａ、およびつり銭払い出し口１４に相当する。
【００１７】
（ｂ）前記金銭収受手段によって金銭収受が行われた結果を表示する金銭収受結果表示手段とは、現金表示部１３に相当する。
【００１８】
（ｃ）磁気カードによって精算処理を行う磁気カード精算手段とは、磁気カード挿入口１５，磁気カード排出口１６、磁気カード処理装置１５ａおよびデータ処理部１５ｂに相当する。
【００１９】
（ｄ）非接触ＩＣカードによって精算処理を行う非接触ＩＣカード精算手段とは、非接触ＩＣカード用アンテナ１７およびデータ処理部１７ａに相当する。
【００２０】
（ｅ）前記磁気カード精算手段あるいは非接触ＩＣカード精算手段によって精算処理が行われた結果を表示する表示手段とは、液晶モニタ１８および表示ランプ２２に相当する。
【００２１】
（実施形態１の作用・効果）
現金による精算形態の構成（上記（ａ）および（ｂ））の他に、料金精算を行う構成（上記（ｃ）、（ｄ）および（ｅ））を加えたことによって、磁気カードや非接触ＩＣカードによる料金精算が可能となり、ひいては、料金収受における時間を短縮できるため、多くの利用者の混雑を解消することが可能となる。
【００２２】
（応用例等）
ところで、本発明は上記の実施形態に限定するものではなく、本発明の要旨を変更しない範囲で様々な実施が可能である。図１０〜図１７は第２の実施形態、図１８〜図２５は第３の実施形態、図２６〜図３３は第４の実施形態である。これらの図面には、第１の実施形態と同様の構成要素には同一の符号を付してある。また、これらの実施形態においては、各構成要素の取付位置が少し異なっているが、この作用・効果においては第１の実施形態と同様である。
【００２３】
なお、上記の実施形態においては、現金表示部１３と液晶モニタ１８とを個別に設けたが、どちらか１つで兼用するようにしてもよい。また、こども料金切替釦２１を硬貨投入口１２の近傍に設けるだけではなく、図１８に示すように、硬貨投入口１２の近傍と非接触ＩＣカード用アンテナ１７の近傍にそれぞれ設けるようにしてもよい。
【図面の簡単な説明】
【００２４】
【図１】第１の実施形態における料金収受装置の正面側から見た斜視図である。
【図２】第１の実施形態における料金収受装置の背面側から見た斜視図である。
【図３】第１の実施形態における料金収受装置を構成するブロック図である。
【図４】第１の実施形態における料金収受装置の正面図である。
【図５】第１の実施形態における料金収受装置の背面図である。
【図６】第１の実施形態における料金収受装置の右側面図である。
【図７】第１の実施形態における料金収受装置の左側面図である。
【図８】第１の実施形態における料金収受装置の平面図である。
【図９】第１の実施形態における料金収受装置の底面図である。
【図１０】第２の実施形態における料金収受装置の正面側から見た斜視図である。
【図１１】第２の実施形態における料金収受装置の背面側から見た斜視図である。
【図１２】第２の実施形態における料金収受装置の正面図である。
【図１３】第２の実施形態における料金収受装置の背面図である。
【図１４】第２の実施形態における料金収受装置の右側面図である。
【図１５】第２の実施形態における料金収受装置の左側面図である。
【図１６】第２の実施形態における料金収受装置の平面図である。
【図１７】第２の実施形態における料金収受装置の底面図である。
【図１８】第３の実施形態における料金収受装置の正面側から見た斜視図である。
【図１９】第３の実施形態における料金収受装置の背面側から見た斜視図である。
【図２０】第３の実施形態における料金収受装置の正面図である。
【図２１】第３の実施形態における料金収受装置の背面図である。
【図２２】第３の実施形態における料金収受装置の右側面図である。
【図２３】第３の実施形態における料金収受装置の左側面図である。
【図２４】第３の実施形態における料金収受装置の平面図である。
【図２５】第３の実施形態における料金収受装置の底面図である。
【図２６】第４の実施形態における料金収受装置の正面側から見た斜視図である。
【図２７】第４の実施形態における料金収受装置の背面側から見た斜視図である。
【図２８】第４の実施形態における料金収受装置の正面図である。
【図２９】第４の実施形態における料金収受装置の背面図である。
【図３０】第４の実施形態における料金収受装置の右側面図である。
【図３１】第４の実施形態における料金収受装置の左側面図である。
【図３２】第４の実施形態における料金収受装置の平面図である。
【図３３】第４の実施形態における料金収受装置の底面図である。
【符号の説明】
【００２５】
１０，３０，４０，５０・・・料金収受装置、１１・・・紙幣挿入口、１２・・・硬貨投入口、１３・・・現金表示部、１４・・・つり銭払い出し口、１５・・・磁気カード挿入口、１６・・・磁気カード排出口、１７・・・非接触ＩＣカード用アンテナ、１８・・・液晶モニタ、１９・・・金庫取出扉、２０・・・種銭補充用扉、２１・・・こども料金切替釦、２２・・・表示ランプ、２３・・・アーム。
【図１】
2007140870.tif 000003
【図２】
2007140870.tif 000004
【図３】
2007140870.tif 000005
【図４】
2007140870.tif 000006
【図５】
2007140870.tif 000007
【図６】
2007140870.tif 000008
【図７】
2007140870.tif 000009
【図８】
2007140870.tif 000010
【図９】
2007140870.tif 000011
【図１０】
2007140870.tif 000012
【図１１】
2007140870.tif 000013
【図１２】
2007140870.tif 000014
【図１３】
2007140870.tif 000015
【図１４】
2007140870.tif 000016
【図１５】
2007140870.tif 000017
【図１６】
2007140870.tif 000018
【図１７】
2007140870.tif 000019
【図１８】
2007140870.tif 000020
【図１９】
2007140870.tif 000021
【図２０】
2007140870.tif 000022
【図２１】
2007140870.tif 000023
【図２２】
2007140870.tif 000024
【図２３】
2007140870.tif 000025
【図２４】
2007140870.tif 000026
【図２５】
2007140870.tif 000027
【図２６】
2007140870.tif 000028
【図２７】
2007140870.tif 000029
【図２８】
2007140870.tif 000030
【図２９】
2007140870.tif 000031
【図３０】
2007140870.tif 000032
【図３１】
2007140870.tif 000033
【図３２】
2007140870.tif 000034
【図３３】
2007140870.tif 000035
【手続補正書】
【提出日】平成17年11月24日(2005.11.24)
【手続補正１】
【補正対象書類名】明細書
【補正対象項目名】００２４
【補正方法】変更
【補正の内容】
【００２４】
【図１】第１の実施形態における料金収受装置の正面側から見た斜視図である。
【図２】第１の実施形態における料金収受装置の背面側から見た斜視図である。
【図３】第１の実施形態における料金収受装置を構成するブロック図である。
【図４】第１の実施形態における料金収受装置の正面図である。
【図５】第１の実施形態における料金収受装置の背面図である。
【図６】第１の実施形態における料金収受装置の右側面図である。
【図７】第１の実施形態における料金収受装置の左側面図である。
【図８】第１の実施形態における料金収受装置の平面図である。
【図９】第１の実施形態における料金収受装置の底面図である。
【図１０】第２の実施形態における料金収受装置の正面側から見た斜視図である。
【図１１】第２の実施形態における料金収受装置の背面側から見た斜視図である。
【図１２】第２の実施形態における料金収受装置の正面図である。
【図１３】第２の実施形態における料金収受装置の背面図である。
【図１４】第２の実施形態における料金収受装置の右側面図である。
【図１５】第２の実施形態における料金収受装置の左側面図である。
【図１６】第２の実施形態における料金収受装置の平面図である。
【図１７】第２の実施形態における料金収受装置の底面図である。
【図１８】第３の実施形態における料金収受装置の正面側から見た斜視図である。
【図１９】第３の実施形態における料金収受装置の背面側から見た斜視図である。
【図２０】第３の実施形態における料金収受装置の正面図である。
【図２１】第３の実施形態における料金収受装置の背面図である。
【図２２】第３の実施形態における料金収受装置の左側面図である。
【図２３】第３の実施形態における料金収受装置の右側面図である。
【図２４】第３の実施形態における料金収受装置の平面図である。
【図２５】第３の実施形態における料金収受装置の底面図である。
【図２６】第４の実施形態における料金収受装置の正面側から見た斜視図である。
【図２７】第４の実施形態における料金収受装置の背面側から見た斜視図である。
【図２８】第４の実施形態における料金収受装置の正面図である。
【図２９】第４の実施形態における料金収受装置の背面図である。
【図３０】第４の実施形態における料金収受装置の右側面図である。
【図３１】第４の実施形態における料金収受装置の左側面図である。
【図３２】第４の実施形態における料金収受装置の平面図である。
【図３３】第４の実施形態における料金収受装置の底面図である。
【手続補正２】
【補正対象書類名】明細書
【補正対象項目名】００２１
【補正方法】変更
【補正の内容】
【００２１】
（第１の実施形態の作用・効果）
現金による精算形態の構成（上記（ａ）および（ｂ））の他に、料金精算を行う構成（上記（ｃ）、（ｄ）および（ｅ））を加えたことによって、磁気カードや非接触ＩＣカードによる料金精算が可能となり、ひいては、料金収受における時間を短縮できるため、多くの利用者の混雑を解消することが可能となる。